(57)【特許請求の範囲】
【請求項１】
ＩＥＥＥ１３９４端子と、このＩＥＥＥ１３９４端子から入力されるデータの通信プロトコルの規定にあるＤＢＣ番号を検出する手段と、
前記検出したＤＢＣ番号と先に入力されたデータのＤＢＣ番号に１を加えて生成した今回のＤＢＣ番号の期待値との比較からデータの連続性を検出するＤＢＣ番号比較手段と、
データに誤り訂正符号を付加して出力する誤り訂正符号化手段と、
前記ＤＢＣ番号比較手段がデータの連続性が無いと判定した場合には、前記ＩＥＥＥ１３９４端子から入力されたデータを前記誤り訂正符号化手段に供給する制御を行うデータ合成手段と、
映像データのフレームの先頭を検出するフレーム先頭検出手段とを備え、
前記データ合成手段は、前記フレーム先頭検出手段がフレームの先頭を検出した場合には、前記ＩＥＥＥ１３９４端子からの入力データを前記誤り訂正符号化手段に供給しないことを特徴とする映像データ処理装置。
【請求項２】
映像データを記録する記録手段を具備する映像記録装置であることを特徴とする請求項１に記載の映像データ処理装置。
【請求項３】
映像データを再生する再生手段を具備する映像再生装置であることを特徴とする請求項１に記載の映像データ処理装置。
【請求項４】
映像データを入力し他の装置に接続する入力手段を具備する映像入力装置であることを特徴とする請求項１に記載の映像データ処理装置。
【発明の詳細な説明】
【０００１】
【発明の属する技術分野】
本発明は、映像データ処理装置に関し、特にＩＥＥＥ１３９４準拠のディジタルインタフェースが設けられたビデオ記録装置等の映像データ処理装置に関する。
【０００２】
【従来の技術】
ディジタルビデオ記録装置にＩＥＥＥ１３９４準拠のディジタルインタフェースが設けられたものが実用化されており、これを用いたディジタルデータの送受信が可能となり、高画質なビデオの送受信が簡単にできるようになった。
ＩＥＥＥ１３９４準拠のディジタルインタフェースはリアルタイム伝送の機能を備えるシリアルインタフェースであり、リアルタイムが要求される動画データを送る際などに表示される動画の動きがぎくしゃくするのが防げ、ディジタルビデオカメラとコンピュータ間の接続といったマルチメディア用途に適したインタフェースである。データ転送はパケット単位で行われる。
【０００３】
しかし従来のディジタルインタフェース部分のシステムは、ＩＥＥＥ１３９４の伝送に特化したインタフェースであるために、ビデオデータとしてデータを認識しておらず、フレームの切り替わりなども検出されていない。したがって、通信プロトコルの規定にあるＤＢＣのエラーを検出した場合、連続性がないとしてそのパケットはデータに関係なく廃棄されてしまう。
【０００４】
これにより、データ中に新たなフレームの始まりがあって、本来、前のデータと不連続があっても差支えないものまでも全てエラーとされてしまうことになり、エラーが尾を引いて２フレームに亙ってしまうことにもなる。
１フレーム全部がエラーにされると、エラー処理によって、例えば、１画面分がグレー画面になったり無信号時雑音画面になって、画面がとぎれて見苦しくなる。
【０００５】
【発明が解決しようとする課題】
上述のごとく、従来のディジタルインタフェースのシステムでは、通信プロトコルの規定にあるＤＢＣのエラーを検出した場合、データに関係なくその後のデータがエラーとされ、データ中に新しいフレームがあると１フレームのデータ全てがエラーとされてしまい画面がとぎれて見苦しくなるという問題がある。
【０００６】
この発明は、ディジタルインタフェースの回路が、通信上のプロトコルであるＤＢＣのエラーを検出した場合でも、フレームの始まりではすべてのデータに対してエラー処理を行わずに受信ができるようにし、ＩＥＥＥ１３９４上のビデオデータを無駄に欠損することなくデータの受信をすることができる映像データ処理装置を実現することを課題とする。
【０００７】
【課題を解決するための手段】
上記課題を達成するため、本発明は、ＩＥＥＥ１３９４端子と、このＩＥＥＥ１３９４端子から入力されるデータの通信プロトコルの規定にあるＤＢＣ番号を検出する手段と、検出したＤＢＣ番号と先に入力されたデータのＤＢＣ番号に１を加えて生成した今回のＤＢＣ番号の期待値との比較からデータの連続性を検出するＤＢＣ番号比較手段と、データに誤り訂正符号を付加して出力する誤り訂正符号化手段とを備えた。また、ＤＢＣ番号比較手段がデータの連続性が無いと判定した場合には、ＩＥＥＥ１３９４端子から入力されたデータを誤り訂正符号化手段に供給する制御を行うデータ合成手段と、映像データのフレームの先頭を検出するフレーム先頭検出手段とを備えた。そして、フレーム先頭検出手段がフレームの先頭を検出した場合には、ＩＥＥＥ１３９４端子からの入力データを誤り訂正符号化手段に供給しないようにしたことを特徴とする。
【０００８】
【発明の実施の形態】
以下、本発明にかかる映像データ処理装置を添付図面を参照にして詳細に説明する。
図１は、本発明の映像データ処理装置の一実施の形態のブロック図である。ここでは映像データ処理装置として、ビデオテープレコーダなどの記録装置を例にして説明する。
【０００９】
図１において、上段の点線で囲まれたブロック２０はデジタルビデオ記録装置のディジタルインタフェースの構成を示し、下段の点線で囲まれたブロック３０はディジタルビデオ記録装置のテープ等の記録媒体ヘの記録回路部分の構成を示す。また、１はＤＢＣ番号検出回路、２はケーブル、３は物理層、４はＬＩＮＫ層、５はヘッダ検出回路、６はＤＢＣ番号比較器、７はフレーム先頭検出回路、８はＦＩＦＯメモリ、９はデータ合成処理回路、１０は誤り訂正符号化処理回路、１１は記録変調処理回路、１２は増幅器である。
【００１０】
図１のディジタルインタフェース部分２０において、ケーブル２から入力されたディジタル信号は、物理層３で受信される。この物理層３の出力は、ＬＩＮＫ層４で通信エラーチェックをされ、ヘッダ検出回路５へ供給される。ヘッダ検出回路５ではヘッダ部のデータのうちＤＢＣ番号部分はＤＢＣ番号検出回路１に供給され、その他のデータはフレーム先頭検出回路７へ供給される。ＤＢＣ番号検出回路１では、ヘッダの中からＤＢＣのデータを抜き出し、ＤＢＣ番号比較器６へ供給する。ＤＢＣ番号比較器６では、供給されたＤＢＣ番号と、1 つ前のデータのＤＢＣ番号に１を加えて生成した期待値とを比較し、その結果をデータ合成処理回路９へ供給する。
【００１１】
図２はヘッダ検出回路５で、切り出されるヘッダデータの一部である。
図２で、ＳＩＤは送信ノードのＩＤ番号、ＤＢＳはデータブロックの大きさ、ＦＮはソースパケットの分割数、ＱＰＣは分割されたデータブロックのサイズを揃えるためのダミークワドレットの数、ＳＰＨはソースパケットのヘッダ、ＲＳＶは未使用で０となっている部分であり、このヘッダデータの下位８ビットがＤＢＣ番号である。
【００１２】
ＤＢＣ番号は、ソースパケットの先頭位置の検出と、データブロックの欠損を検出するための数値であり、先のＤＢＣ番号に１を加えた期待値と、実際のＤＢＣ番号との比較からデータブロックの抜けを検出する。
フレーム先頭検出回路７では、データ内部のＩＤエリアからフレームの先頭を検出し、検出結果をデータ合成処理回路９へ出力し、データをＦＩＦＯメモリ８へ供給をする。ＦＩＦＯメモリ８の出力は、データ合成処理回路９へ供給される。
【００１３】
図３はデータ内部のＩＤエリアである。この部分は図２に示したヘッダデータに続くデータ部分の先頭に位置する部分である。
フレーム先頭検出回路７では、この中のＳｅｃｔｉｏｎ  Ｔｙｐｅ、ＤＩＦ
Ｓｅｑｕｅｎｃｅ  Ｎｏ．、ＤＩＦ  Ｂｌｏｃｋ  Ｎｏ．をみてフレームの先頭を検出している。
【００１４】
図４に、データ合成処理回路９の構成を示す。図４において、６はＤＢＣ番号比較器、７はフレーム先頭検出回路、８はＦＩＦＯメモリ、９はデータ合成処理回路、１０は誤り訂正符号化処理回路、１３はエラーデータ発生回路、１４、１５、１６は切り替えスイッチである。
ＦＩＦＯメモリ８から供給されたデータは、フレーム先頭検出回路７でフレームの先頭が検出された場合には、何等処理はされずに、スイッチ１４においてはｂ側が選択されてデータはスイッチ１６のｂ側へ供給される。フレームの先頭が検出されなかった場合には、データはスイッチ１４からスイッチ１５の入力の片側（ｂ側）に供給される。
【００１５】
スイッチ１５は、ＤＢＣ番号比較器６の比較結果がエラーだったときには、ａ側に切り替えられて、エラーデータ発生回路１３の出力したエラーデータが選択される。エラーでなかったときは、ｂ側に切り替えられてＦＩＦＯメモリ８からのデータ選択が選択され、この選択されたデータはスイッチ１６のａ側に出力される。
スイッチ１６では、フレーム先頭検出回路７でフレームの先頭が検出されたときは、ｂ側が選択されてスイッチ１４からの出力をそのまま、検出されなかったときはａ側が選択されてスイッチ１５の出力を、誤り訂正符号化処理回路１０へ供給する。
【００１６】
誤り訂正符号化処理回路１０では、データがテープ上に記録するパターンに並び替えられ、さらに誤り訂正符号を付加されて出力される。誤り訂正符号化処理回路１０の出力は、記録変調処理回路１１で変調され、増幅器１２をとおして記録ヘッドによりテープ上に記録される。
【００１７】
このような構成にすることによって、比較的簡単な方法で、ディジタルインタフェースから入力されたデータの中で、フレームの先頭のパケットについては、誤り訂正符号化処理回路１０に供給せず、通信のプロトコルの規定にあるＤＢＣ番号のエラーによるエラー処理をしないために、フレーム内でパケットの連続性が保たれていれば、つまり、ＤＢＣ番号比較器６の比較結果がエラーでなかった場合は、データを正しく欠損なく受信することができる。
【００１８】
なお、以上の説明ではディジタルインタフェースから入力されるデータのフレームの先預のパケットについてＤＢＣ番号によるエラー処理をしない受信の一つの方法を述べたが、本発明において採用するフレームの先頭のパケットについてＤＢＣ番号によるエラー処理をしない受信方法は、勿論、これらの方法に限定されるものではなく、本発明の趣旨の範囲内で様々な構成のものを採りうる。
また、以上ではビデオテープレコーダなどの記録装置について説明したが、映像信号の再生装置や、他の装置に対する入力装置であってもＩＥＥＥ１３９４入力機能が設けられた装置に対しては同様に本発明が有効であることはもちろんである。
【００１９】
以上説明したように本発明は、ＩＥＥＥ１３９４端子と、このＩＥＥＥ１３９４端子から入力されるデータの通信プロトコルの規定にあるＤＢＣ番号を検出する手段と、検出したＤＢＣ番号と先に入力されたデータのＤＢＣ番号に１を加えて生成した今回のＤＢＣ番号の期待値との比較からデータの連続性を検出するＤＢＣ番号比較手段と、データに誤り訂正符号を付加して出力する誤り訂正符号化手段とを備えた。また、ＤＢＣ番号比較手段がデータの連続性が無いと判定した場合には、ＩＥＥＥ１３９４端子から入力されたデータを誤り訂正符号化手段に供給する制御を行うデータ合成手段と、映像データのフレームの先頭を検出するフレーム先頭検出手段とを備えた。そして、フレーム先頭検出手段がフレームの先頭を検出した場合には、ＩＥＥＥ１３９４端子からの入力データを誤り訂正符号化手段に供給しないようにした。これにより、ＩＥＥＥ１３９４ディジタルインタフェースから入力されたデータにおいてフレームの先頭のパケットについては、通信のプロトコルの規定にあるＤＢＣ番号のエラーによるエラー処理を行わないようにできるので、ビデオデータを無駄に欠損することなく、フレーム内でパケットの連続性が保たれていれば、データを正しく欠損なく受信することができる。
【図面の簡単な説明】
【図１】本発明の映像データ処理装置の一実施の形態のブロック図。
【図２】図１に示す実施の形態のヘッダ検出回路で切り出されるヘッダデータの一部を示す図表。
【図３】図１に示す実施の形態のフレーム先頭検出回路で検出されるデータ内部のＩＤエリアを示す図表。
【図４】図１に示す実施の形態のデータ合成処理回路の構成を示すブロック図。
【符号の説明】
１…ＤＢＣ番号検出回路、２…ケーブル、３…物理層、４…ＬＩＮＫ層、５…ヘッダ検出回路、６…ＤＢＣ番号比較器、７…フレーム先頭検出回路、８…ＦＩＦＯメモリ、９…データ合成処理回路、１０…誤り訂正符号化処理回路、１１…記録変調処理回路、１２…増幅器、１３…エラーデータ発生回路、１４、１５、１６…切り替えスイッチ、２０…ディジタルインタフェース部分、３０記録回路部分。
【図１】
0003928241.tif 000002
【図２】
0003928241.tif 000003
【図３】
0003928241.tif 000004
【図４】
0003928241.tif 000005